(57)【要約】【課題】  記録装置運搬時の転倒を防止する。【解決手段】  シートに画像を記録する記録機構部２０を外装ケース１００に収容したドットインパクトプリンタ１０において、前記外装ケース１００の長手方向に対して略垂直な方向に偏った重心位置Ｇを有し、前記外装ケース１００の長手方向の両側部の夫々に一対の取手１１０Ａ、１１０Ｂを設け、前記一対の取手１１０Ａ、１１０Ｂのうち、前記重心が寄った側を、他方よもり高い位置に設けた。【選択図】      図５
2006231682.tif 000002
【特許請求の範囲】
【請求項１】
シートに画像を記録する記録機構部を外装ケースに収容した記録装置において、
前記外装ケースの長手方向に対して略垂直な方向に偏った重心を有し、
前記外装ケースの長手方向の両側部の夫々に一対の取手を設け、
前記一対の取手のうち、前記重心が寄った側の取手を、他方の取手よもり高い位置に設けた
ことを特徴とする記録装置。
【請求項２】
前記外装ケースは、前記記録機構部の下側を覆う下部ケースと、前記下部ケースの上縁部と係合して前記記録機構の上側を覆う上部ケースとを有し、
前記下部ケースの上縁部を前記重心が偏る方向に突出させて、前記高い位置に配置される取手を形成した
ことを特徴とする請求項１に記載の記録装置。
【請求項３】
前記一対の取手の各々に滑り止めが設けられていることを特徴とする請求項１または２に記載の記録装置。
【発明の詳細な説明】
【技術分野】
【０００１】
本発明はシートに文字や絵などの画像を記録する記録装置に関する。
【背景技術】
【０００２】
従来、オフィスなどでは、シートに文字や絵などの画像を記録する例えばプリンタなどの記録装置が設置されている。この種の記録装置は、印刷可能なシートのサイズや種類、また、印字方式などの違いによって、形状や大きさ、重量などが様々であるが、例えば卓上に設置されるものでは、１０〜３０Ｋｇ程度と比較的重いタイプのものがある。このタイプの記録装置を移動させる場合には、人手によって持ち運びするために、通常、外装ケースに取手が設けられている（例えば、特許文献１参照）。
【特許文献１】特開平１１−６５１９７号公報（図１）
【発明の開示】
【発明が解決しようとする課題】
【０００３】
しかしながら、従来にあっては、上記取手の設計時に、複数の運搬者により記録装置を持ち運びすることが考慮されておらず、複数の運搬者で記録装置を持ち運びする際に、バランスが崩れて記録装置を転倒させてしまう恐れがある、などの問題があった。
本発明は、上述した事情に鑑みてなされたものであり、例えば複数の運搬者が記録装置を持ち運びする際の記録装置の転落を防止することのできる記録装置を提供することを目的とする。
【課題を解決するための手段】
【０００４】
上記目的を達成するために、本発明は、シートに画像を記録する記録機構部を外装ケースに収容した記録装置において、前記外装ケースの長手方向に対して略垂直な方向に偏った重心を有し、前記外装ケースの長手方向の両側部の夫々に一対の取手を設け、前記一対の取手のうち、前記重心が寄った側の取手を、他方の取手よもり高い位置に設けたことを特徴とする記録装置を提供する。
【０００５】
この記録装置によれば、重心の偏りにより、記録装置が持ち上げられた際に、長手方向に対して略垂直な方向に傾倒する回転モーメントが発生する。この回転モーメントにより、運搬者は、記録装置を持ち上げた際に、記録装置が回転モーメントの方向に倒れる危険性があることを察知できる。この結果、運搬者は、回転モーメントが働く方向の取手を持つ手に注意を払うようになるため、運搬中の記録装置の転落を防止することができる。
また、前記外装ケースの長手方向の両側部のそれぞれの取手を２人の運搬者が持って運搬する際には、上記回転モーメントにより、重心が寄った側の取手が下方に移動して、一対の取手のそれぞれが略同じ高さで保持されて運搬される。したがって、記録装置を下ろす際には、２人の運搬者がそのまま両腕を下ろせば、２人の間で、同じ側から記録装置を下ろすことができる。これにより、記録装置を下ろす際に、２人の運搬者がそれぞれ異なる側から記録装置を下ろそうとして、バランスを失い、記録装置を転落させてしまうといった事態が防止される。
【０００６】
なお、本発明において、上記シートは、例えば単票紙や連続紙などの普通紙の他に、ＯＨＰ（オーバーヘッドプロジェクト）シートやコート紙、フィルムなどを含むものである。
また、上記記録装置は、長尺するプラテンと、このプラテンの長手方向に沿って移動するキャリッジと、このキャリッジに搭載され、記録ワイヤをプラテンに向けて打ち出す記録ヘッドとを備え、前記プラテン上に搬送される前記シートに、インクリボンを介して記録ワイヤを打ち出して、前記シート上に文字や絵などの画像を形成する、いわゆる、ドットインパクトプリンタを含むものである。この他にも、上記記録装置は、インク適を突出してシート上にドットを形成する記録ヘッドを備えた、いわゆるインクジェットプリンタや、電子写真方式によりシート上に画像を記録する記録装置を含むものである。
【０００７】
ここで、上記記録装置において、前記外装ケースは、前記記録機構部の下側を覆う下部ケースと、前記下部ケースの上縁部と係合して前記記録機構の上側を覆う上部ケースとを有し、前記下部ケースの上縁部を前記重心が偏る方向に突出させて、前記高い位置に配置される取手を形成した構成が望ましい。
この望ましい構成によれば、一対の取手はいずれも下部ケース側に配設され、この下部ケースに上部ケースが係合するため、運搬者が記録装置を持ち上げた際には、上部ケースごと下部ケースが持ち上げられる。したがって、運搬者が記録装置を持ち上げる際に、上部ケースを持ち上げたために下部ケースが外れてしまうといった不具合が生じることがない。
【０００８】
また、上記記録装置において、前記一対の取手の各々に滑り止めが設けられている構成も望ましい。
この望ましい構成によれば、運搬者が運搬中に手を滑らせて記録装置を転落させてしまうといった事態が防止される。
【発明の効果】
【０００９】
本発明によれば、外装ケースの長手方向の両側部の夫々に一対の取手を設け、前記一対の取手のうち、重心が寄った側の取手を、他方の取手よもり高い位置に設けた構成としたため、運搬者が記録装置を持ち運びする際の記録装置の転落を防止するこができる。
【発明を実施するための最良の形態】
【００１０】
以下、図面を参照して本発明の実施の形態について説明する。以下の実施の形態では、本発明を記録装置の一態様であるドットインパクトプリンタに適用した場合を例示する。
図１はドットインパクトプリンタ１０の外観斜視図であり、図２はドットインパクトプリンタ１０の背面図である。また、図３はドットインパクトプリンタ１０が内蔵する記録機構部２０の構成を示す斜視図であり、図４は図３のＡ−Ａ’線における記録機構部２０の断面図である。
ドットインパクトプリンタ１０は、複数の記録ワイヤ（図示せず）を有する記録ヘッド３０を備え、記録ヘッド３０から記録ワイヤを突出させて、インクリボンを介してシートの記録面に、文字を含む画像を記録するものである。なお、以下の説明では、シートとして連続紙を用いた場合について説明する。
【００１１】
図１に示すように、ドットインパクトプリンタ１０は、上部ケース１１及び下部ケース１２からなる略箱形の外装ケース１００を有し、この外装ケース１００に、シートに画像を記録する記録機構部２０（図３）が収容される。上部ケース１１の上面前部には上面カバー１３が配設され、後述するリボンカートリッジ（図示せず）を記録機構部２０に装着する際等に上方に開かれる。上部ケース１１の前面下部には、記録機構部２０に連続紙を供給するためのフロント給紙口１１１が開口する。フロント給紙口１１１の上には、前方に開く前面カバー１５が配設され、前面カバー１５を開けて記録機構部２０に連続紙をセットできるようになっている。
【００１２】
図１及び図２に示すように、上部ケース１１には、上部ケース１１の上面後部から背面にかけて連続する上背面カバー１４が配設される。上背面カバー１４は、後述する記録機構部２０のメンテナンス時等に、上部ケース１１の後方に向けて開放される。上背面カバー１４の背面には、記録後の連続紙が吐き出される排紙口１１３が開口する。
さらに、上部ケース１１の背面において、上背面カバー１４の下には、記録機構部２０に連続紙を供給するためのリア給紙口１１２が開口する。
また、図２に示すように、下部ケース１２の背面下部にはＩ／Ｆカバー１６が配設される。Ｉ／Ｆカバー１６の内側には、ドットインパクトプリンタ１０をコンピュータ等の各種機器に接続するためのコネクタ（図示略）が配設されており、Ｉ／Ｆカバー１６を開けて、上記コネクタにケーブルを接続する等の作業を行えるようになっている。
【００１３】
図１に示すように、上部ケース１１の前面上部には操作パネル１２１が配設される。この操作パネル１２１には、ドットインパクトプリンタ１０の動作に係る各種設定のためのスイッチ類、動作状態を報知するインジケータ及び液晶ディスプレイパネル等が設けられる。下部ケース１２の前面の隅には、ドットインパクトプリンタ１０の電源をＯＮ／ＯＦＦするスイッチ１２２が配される。また、図２に示すように、下部ケース１２の背面には、ドットインパクトプリンタ１０に電源を供給するための電源コネクタ１２３が配設される。
【００１４】
次に、記録機構部２０の構成について説明する。
図３及び図４に示すように、記録機構部２０は、右サイドフレーム２１、左サイドフレーム２２、フロントフレーム２３及びベースフレーム２４を備え、これらのフレーム２１、２２、２３、３４により本体フレームが構成される。そして、この本体フレームには、記録ヘッド３０と、記録ヘッド３０を載置するキャリッジ２８と、フロント側から記録ヘッド３０に対して連続紙を供給するフロント給紙機構２６と、リア側から記録ヘッド３０に対して連続紙を供給するリア給紙機構２７と、フロント給紙機構２６及びリア給紙機構２７により供給された連続紙を記録ヘッド３０に向けて搬送する搬送機構３４と、記録ヘッド３０による記録済みの連続紙を排出する排紙機構３５と、リボンカートリッジ（図示せず）を駆動するリボン駆動ユニット３７とが配設される。
【００１５】
右サイドフレーム２１及び左サイドフレーム２２は、記録機構部２０の両端部において互いに対向するよう立設され、この右サイドフレーム２１と左サイドフレーム２２との間に、フロントフレーム２３及びベースフレーム２４が架け渡される。フロントフレーム２３は記録機構部２０のフロント側に位置し、ベースフレーム２４は記録機構部２０の下部のリア側に位置する。
右サイドフレーム２１及び左サイドフレーム２２のフロント下部には、それぞれローラ２５が配設され、これら２個のローラ２５を介して、記録機構部２０は下部ケース１２により支持される。また、ローラ２５は回転自在に構成され、ローラ２５を支点として記録機構部２０を斜め上方にチルトさせることで、記録機構部２０の下方に配設される制御基盤（図示略）のメンテナンス等を行える。
【００１６】
フロント給紙機構２６は、記録機構部２０の前面下部に配設されたフロント給紙台２６１と、右サイドフレーム２１と左サイドフレーム２２との間に平行に架け渡されたトラクタ支持軸２６３及びトラクタ駆動軸２６４と、左右一対のフロントトラクタ２６２と、各フロントトラクタ２６２に一体に取り付けられたフロントトラクタカバー２６６とを備える。
フロント給紙台２６１は、記録機構部２０の前面のほぼ下端部から斜め上に延びる面を有し、この面により、フロント給紙口１１１（図１）から挿入された連続紙を下方から支持する。フロント給紙台２６１の上方には、トラクタ支持軸２６３及びトラクタ駆動軸２６４が配設され、これらトラクタ支持軸２６３及びトラクタ駆動軸２６４に、左右一対のフロントトラクタ２６２が挿通される。フロントトラクタ２６２は各々平面部を有し、この平面部がフロント給紙台２６１の面に連なるよう配設される。
【００１７】
フロントトラクタ２６２は、複数のピン２６５を有するトラクタベルト（図示せず）を備える。このトラクタベルトはトラクタ支持軸２６３とトラクタ駆動軸２６４とに架けられる。トラクタ支持軸２６３は回転自在に配設される一方、トラクタ駆動軸２６４は搬送モータによって駆動されて回転する。そして、上記トラクタベルトは、トラクタ駆動軸２６４の回転に伴って回転し、ピン２６５を下方から上方へ移動させる。ピン２６５は、フロントトラクタ２６２の平面部から露出しており、連続紙の幅方向両端部に穿設されたスプロケットホールに係合する。そして、上記トラクタベルトの回転によりピン２６５が移動すると、連続紙が、上方すなわち記録ヘッド３０側へ搬送される。
また、フロントトラクタ２６２には、ピン２６５の上方から被さるフロントトラクタカバー２６６が配設される。フロントトラクタ２６２に連続紙を載せてフロントトラクタカバー２６６を被せることにより、連続紙のスプロケットホールがピン２６５に係合した状態が保持される。
【００１８】
リア給紙機構２７は、右サイドフレーム２１と左サイドフレーム２２との間に架け渡されたトラクタ支持軸２７２及びトラクタ駆動軸２７３と、左右一対のリアトラクタ２７１と、各リアトラクタ２７１に一体に取り付けられたリアトラクタカバー２７５と、リアトラクタ２７１と、スプロケットホイール２７６とを備える。
図４に示すように、ベースフレーム２４は、リアトラクタ２７１の搬送面（上面）２７１Ａと連続するように延びてドットインパクトプリンタ１０のリア給紙口１１２から突出する用紙支持部２４２を有し、リア給紙口１１２に給紙された連続紙は用紙支持部２４２により支持されてリアトラクタ２７１の搬送面２７１Ａに導かれる。
上記トラクタ支持軸２７２及びトラクタ駆動軸２７３は互いに略並行に配設され、これらトラクタ支持軸２７２及びトラクタ駆動軸２７３に、２個のリアトラクタ２７１が挿通される。
【００１９】
リアトラクタ２７１は、連続紙の両端に設けられたスプロケットホール（孔）と等間隔に配列された複数のピン２７４を有するトラクタベルト（図示略）を備え、このトラクタベルトがトラクタ支持軸２７２とトラクタ駆動軸２７３とに架け渡されている。トラクタベルトのピン２７４はリアトラクタ２７１の搬送面２７１Ａに露出して、連続紙のスプロケットホール（図示せず）に挿入される。そして、トラクタ駆動軸２７３が駆動されてトラクタベルトが回転すると、このトラクタベルトの回転により連続紙が搬送される。
【００２０】
リアトラクタ２７１に対して連続紙搬送方向下流側には、スプロケットホイール２７６が設けられる。このスプロケットホイール２７６は後述する搬送機構３４の下方に配置され、リアトラクタ２７１によって搬送された連続紙を搬送機構３４に向けて搬送するものである。具体的には、スプロケットホイール２７６の周面には、スプロケットホールと等間隔で配列された複数のピン２７７が設けられ、これらのピン２７７がリアトラクタ２７１から搬送された連続紙のスプロケットホールに挿入される。そして、スプロケットホイール２７６および上記リアトラクタ２７１が互いに同期して駆動されて、連続紙が搬送機構３４に向けて搬送される。このとき、スプロケットホイール２７６および上記リアトラクタ２７１は、印字の際の改行ごとに搬送モータ（図示せず）により駆動されて、連続紙を搬送する。
【００２１】
リアトラクタ２７１には、搬送面２７１Ａを上方から覆う用紙押さえとしてのリアトラクタカバー２７５が開閉自在に設けられている。すなわち、リアトラクタ２７１への連続紙のセット時にはリアトラクタカバー２７５を開いて搬送面２７１Ａを露出させ、連続紙のスプロケットホールをピン２７７に挿入した後、リアトラクタカバー２７５を閉じる。これにより、連続紙の上面位置がリアトラクタカバー２７５により規制され、スプロケットホールがピン２７４から外れるのが防止される。
【００２２】
上記搬送機構３４は、互いに対向配置されて連続紙を記録ヘッド３０に向けて搬送する第１搬送ローラ３４１および第２搬送ローラ３４２と、第２搬送ローラ３４２を軸支する第２搬送ローラ軸３４３と、記録ヘッド３０に対向して配設されたプラテン３１とを備える。
第１搬送ローラ３４１はリア給紙ドラム２７６の上方に配設され、連続紙の裏面に当接する。この第１搬送ローラ３４１に対して、連続紙を挟んで対向する位置に、第２搬送ローラ軸３４３が配設される。この第２搬送ローラ軸３４３は、右サイドフレーム２１と左サイドフレーム２２との間に回転自在に架け渡され、複数の第２搬送ローラ３４２が挿通される。第２搬送ローラ軸３４３は、ローラ開閉モータの動作によって所定の範囲内で移動可能であり、ローラ開閉モータが開動作を行うと、第２搬送ローラ３４２は第１搬送ローラ３４１から離隔され、ローラ開閉モータが閉動作を行うと、第２搬送ローラ３４２は第１搬送ローラ３４１に向けて付勢される。
そして、上記ローラ開閉モータが閉動作を行うことで、連続紙が第１搬送ローラ３４１と第２搬送ローラ３４２との間に挟持される。第１搬送ローラ３４１は搬送モータ及び駆動輪列部３３により駆動され、第１搬送ローラ３４１が回転することにより、第１搬送ローラ３４１と第２搬送ローラ３４２とに挟まれた連続紙が、上方すなわち記録ヘッド３０側へ搬送される。
【００２３】
キャリッジ２８は、右サイドフレーム２１と左サイドフレーム２２との間に架け渡されたキャリッジ軸２９に挿通される。キャリッジ２８には、キャリッジ駆動モータ３２とキャリッジ駆動プーリ（図示略）とに架けられたベルトが装着され、キャリッジ駆動モータ３２とキャリッジ駆動プーリの動作によってベルトが駆動されると、キャリッジ軸２９に沿って移動する。
キャリッジ２８には、記録ヘッド３０が搭載される。記録ヘッド３０は、搬送機構３４の上方において連続紙の記録面に対向し、連続紙の記録面と記録ヘッド３０との間には、後述するリボンカートリッジから引き出されたインクリボンが配設される。そして、記録ヘッド３０から連続紙の記録面に向けて記録ワイヤ（図示略）を打ち出すことにより、連続紙の記録面にインクが付着し、文字を含む画像が記録される。
【００２４】
記録ヘッド３０に対向する位置においては、連続紙の裏面側に、プラテン３１が配設される。プラテン３１は、連続紙に接する部分が平面状に形成された平プラテンであり、この平面において、記録ヘッド３０から突出する記録ワイヤの突出力を支持する。プラテン３１は、連続紙に対して垂直な方向に移動可能に構成され、ばね（図示略）によって連続紙に向けて付勢される。
【００２５】
排紙機構３５は、記録ヘッド３０により記録された連続紙に裏側から当接する第１排紙ローラ３５１と、右サイドフレーム２１から左サイドフレーム２２にかけて配設された可動フレーム３５３と、可動フレーム３５３を支持する可動軸３５４及びユニット支持軸３５５と、可動フレーム３５３と左サイドフレーム２２とに跨って組み付けられたばね３５６と、可動フレーム３５３に固定された複数の排紙ローラユニット３５７と、排紙ローラユニット３５７に組み付けられた第２排紙ローラ３５８とを備える。
【００２６】
第１排紙ローラ３５１は、記録ヘッド３０の上方において連続紙の裏面に当接し、搬送モータ及び駆動輪列部３３により駆動されて回転する。この第１排紙ローラ３５１に対して、連続紙を介して対向する位置に、可動軸３５４及びユニット支持軸３５５が配設される。可動軸３５４及びユニット支持軸３５５は、右サイドフレーム２１と左サイドフレーム２２との間に架け渡され、ユニット支持軸３５５は右サイドフレーム２１及び左サイドフレーム２２に固定される一方、可動軸３５４は、ユニット支持軸３５５を中心として円を描くように移動可能である。また、可動フレーム３５３は、可動軸３５４及びユニット支持軸３５５に固定され、可動軸３５４とともに移動可能である。
可動フレーム３５３には、可動軸３５４及びユニット支持軸３５５の軸方向に沿って並ぶ複数の排紙ローラユニット３５７が取り付けられる。排紙ローラユニット３５７には、それぞれ、ユニット支持軸３５５から離隔した位置に第２排紙ローラ３５８が組み付けられている。
【００２７】
可動フレーム３５３は、左サイドフレーム２２との間に架け渡されたばね３５６によって、ユニット支持軸３５５を中心として第１排紙ローラ３５１に近づく方向に付勢される。このため、排紙ローラユニット３５７が有する第２排紙ローラ３５８は、第１排紙ローラ３５１に押しつけられる方向に付勢され、この付勢力により、連続紙が第１排紙ローラ３５１と第２排紙ローラ３５８との間に挟まれる。さらに、可動軸３５４は、ローラ開閉モータの動作によって、ばね３５６の付勢力に抗して移動される。すなわち、ローラ開閉モータが開動作を行うと、ローラ開閉モータの駆動力によって、可動軸３５４がばね３５６の付勢力に抗して移動し、第２排紙ローラ３５８が第１排紙ローラ３５１から離隔する。また、ローラ開閉モータが駆動力を解放する（閉動作）と、ばね３５６の付勢力によって、第２排紙ローラ３５８が第１排紙ローラ３５１に押しつけられる。
【００２８】
ところで、本実施の形態のドットインパクトプリンタ１０は、その重量が比較的重く（例えば略３０Ｋｇ）、移動される際には、安全のため２人がかりで持ち運ぶことが想定されており、ドットインパクトプリンタ１０の外装ケース１００には、２人分の取手が設けられている。以下、かかる取手について詳述する。
【００２９】
図１に示すように、上部ケース１１および下部ケース１２から構成される外装ケース１００は、キャリッジ２８の移動方向、すなわち、主走査方向に延びた略直方の箱型に形成されており、その長手方向に位置する左右の側面１００Ａ、１００Ｂのそれぞれに、図１乃至図３に示すように、一対の取手１１０Ａ、１１０Ｂが設けられており、運搬時には、各側面１００Ａ、１００Ｂごとに１人の運搬者が一対の取手１１０Ａ、１１０Ｂを持って運搬するようになっている。
取手１１０Ａは、ドットインパクトプリンタ１０のフロント側（すなわち、操作パネル１２１やフロント給紙口１１１が配設さる側）に配設され、図３に示すように、下部ケース１２の上縁部１２Ａをフロント側に向けて突出させて、運搬者の手が引っ掛けられるように形成した突出部（段差）によって構成される。
【００３０】
また、取手１１０Ａを構成する突出部は、側面１００Ａ、１００Ｂから長手方向に沿ってフロント給紙機構２６の近傍まで延びるように形成されており、運搬者がドットインパクトプリンタ１０のフロント側からも取手１１０Ａに手を引っ掛けることができるようになっている。
一方の取手１１０Ｂは、ドットインパクトプリンタ１０のリア側（すなわち、リア給紙口１１２が配設される側）に配設され、図１乃至図３に示すように、下部ケース１２のリア側底部の長手方向両端に形成された凹部によって構成される。
【００３１】
図５はドットインパクトプリンタ１０の側面を模式的に示す図である。この図に示すように、上部ケース１１は、下部ケース１２の取手１１０Ａを含む上縁部１２Ａを覆って、この下部ケース１２に係合して固定される。すなわち、一対の取手１１０Ａ、１１０Ｂはいずれも下部ケース１２側に配設されているため、運搬者がこれらの取手１１０Ａ、１１０Ｂに手を掛けて持ち上げた際には、上部ケース１１ごと下部ケース１２が持ち上げられる。これにより、運搬者が上部ケース１１を持ち上げたために下部ケース１２が外れてしまうといった不具合が生じることがない。
また、一対の取手１１０Ａ、１１０Ｂのそれぞれには、表面に凹凸を有する滑り止め防止材１２０が設けられており、運搬者が運搬中に手を滑らせてドットインパクトプリンタ１０を転落させてしまうといった事態を防止可能に構成されている。なお、取手１１０Ａ、１１０Ｂと別途に滑り止め防止材１２０を設ける構成に限らず、取手１１０Ａ、１１０Ｂの手が掛けられる箇所の表面に粗面を形成して、取手１１０Ａ、１１０Ｂに滑り止めを設ける構成としても良い。
【００３２】
ここで、同図に示すように、本実施の形態では、一対の取手１１０Ａ、１１０Ｂを、それぞれ、ドットインパクトプリンタ１０の重心位置Ｇむように配設している。このとき、ドットインパクトプリンタ１０は、その重心位置Ｇが、ドットインパクトプリンタ１０の長手方向に対して略垂直な方向であるフロント側又はリア側に偏るように設計されており（ここではフロント側）、一対の取手１１０Ａ、１１０Ｂのうち、重心位置Ｇが寄っている側の取手１１０Ａ、１１０Ｂ（ここではフロント側の取手１１０Ａ）を、他方の取手１１０Ａ、１１０Ｂ（ここではリア側の取手１１０Ｂ）よりも高さ方向で高い位置に配設することとしている。
【００３３】
このように、取手１１０Ａ、１１０Ｂの高さ位置をそれぞれ異ならせた場合、運搬者が取手１１０Ａ、１１０Ｂに手を掛けた際には、高い位置に配置された取手１１０Ａを支える腕の肘が、低い位置に配置された取手１１０Ｂを支える腕の肘よりも大きく曲げられた状態となる。この状態で、運搬者が取手１１０Ａ、１１０Ｂを持ってドットインパクトプリンタ１０を上方向（図５中矢印Ｘ）に持ち上げた場合には、ドットインパクトプリンタ１０の重心位置Ｇの偏りにより、フロント側の方がリア側よりも重くなるため、ドットインパクトプリンタ１０がフロント側に傾倒する回転モーメントＭが発生する。この回転モーメントＭにより、運搬者は、運搬中に、ドットインパクトプリンタ１０が重心位置Ｇに偏りがあり、その偏った方向であるフロント方向に倒れる危険性があることを察知できる。
さらに、このフロント側の取手１１０Ａは、外装ケース１００のフロント側に突出した突出部によって形成されているため、運搬者は、フロント側から取手１１０Ａに手を挿入し、手の平で、ドットインパクトプリンタ１０の傾きを支えることができ、より安定した状態で、ドットインパクトプリンタ１０を持ち上げることができる。
【００３４】
また、２人の運搬者の各々が、ドットインパクト１０の左右の側面１００Ａ、１００Ｂのそれぞれに配設された一対の取手１１０Ａ、１１０Ｂを持ち上げた場合に、上記のような回転モーメントＭが発生すると、各運搬者は、その回転モーメントＭを受けて、高い位置に配置された取手１１０Ａを支える腕の肘を伸ばすこととなるため、図６に示すように、ドットインパクトプリンタ１０を持ち上げたときには、ドットインパクトプリンタ１０がフロント側に傾き、フロント側の取手１１０Ａとリア側の取手１１０Ｂとが高さ方向で水平線Ｈに沿って揃った状態に保持され、この状態で２人の運搬者によって運搬される。したがって、ドットインパクトプリンタ１０を卓上などに載置する際には、２人の運搬者がそのまま両腕を下ろせば、２人の間で、同じフロント側からドットインパクトプリンタ１０が卓上に下ろされるため、ドットインパクトプリンタ１０を下ろす際に、２人の運搬者の一方がフロント側、他方がリア側から下ろそうとして、バランスを失い、ドットインパクトプリンタ１０を転落させてしまうといった事態を防止することができる。
【００３５】
このように、本実施の形態によれば、ドットインパクトプリンタ１０がフロント側に偏った重心位置Ｇを有するため、運搬者がドットインパクトプリンタ１０を持ち上げた際に回転モーメントＭが発生し、この回転モーメントＭにより、運搬者は、ドットインパクトプリンタ１０が回転モーメントＭの方向に倒れる危険性があることを察知できる。この結果、運搬者は、フロント方向の取手１１０Ａを持つ手に注意を払うようになるため、運搬中のドットインパクトプリンタ１０の転落を防止することができる。
【００３６】
また、本実施の形態によれば、外装ケース１００の長手方向の両側面１００Ａ、１００Ｂの夫々に一対の取手１１０Ａ、１１０Ｂを設け、これら一対の取手１１０Ａ、１１０Ｂのうち、ドットインパクトプリンタ１０の重心位置Ｇが寄った側（ここではフロント側）の取手１１０Ａを、他方（ここではリア側）の取手１１０Ｂよもり高い位置に設けたため、外装ケース１００両端の一対の取手１１０Ａ、１１０Ｂを２人の運搬者が持って運搬する際には、上記回転モーメントＭにより、重心位置Ｇが寄った側（ここではフロント側）の取手１１０Ａが下方に移動して、一対の取手１１０Ａ、１１０Ｂのそれぞれが略同じ高さで保持されて運搬される。したがって、ドットインパクトプリンタ１０を下ろす際に、２人の運搬者がそのまま両腕を下ろせば、２人の間で、同じフロント側からドットインパクトプリンタ１０を下ろすことができる。これにより、ドットインパクトプリンタ１０を下ろす際に、２人の運搬者がそれぞれ異なる側から下ろそうとして、バランスを失い、ドットインパクトプリンタ１０を転落させてしまうといった事態が防止される。
【００３７】
また、本実施の形態によれば、一対の取手１１０Ａ、１１０Ｂがいずれも下部ケース１２側に配設され、この下部ケース１２に上部ケース１１が係合するため、運搬者がドットインパクトプリンタ１０を持ち上げた際には、上部ケース１１ごと下部ケース１２が持ち上げられる。これにより、上部ケース１１を持ち上げたために下部ケース１２が外れてしまうといった不具合が生じることがない。
また、本実施の形態によれば、一対の取手１１０Ａ、１１０Ｂの各々に滑り止めを設ける構成としたため、運搬中に運搬者が手を滑らせて、ドットインパクトプリンタ１０を転落させてしまうといった事態が防止される。
【００３８】
なお、上述した実施の形態は、あくまでも本発明の一態様を示すものであり、本発明の範囲内において任意に変形可能である。
例えば、上述した実施の形態では、記録装置としてドットインパクトプリンタを例示したが、これに限らず、例えば、インクジェット方式のプリンタにも本発明を適用可能である。さらには、複写機やファクシミリなどの電子写真方式により画像を記録する記録装置にも本発明を適用可能である。
【図面の簡単な説明】
【００３９】
【図１】本発明に係るドットインパクトプリンタの外観斜視図である。
【図２】ドットインパクトプリンタの背面図である。
【図３】記録機構部の構成を示す斜視図である。
【図４】記録機構部の断面図である。
【図５】ドットインパクトプリンタの側面図である。
【図６】ドットインパクトプリンタの運搬時の状態を示す図である。
【符号の説明】
【００４０】
１０…ドットインパクトプリンタ、１１…上部ケース、１２…下部ケース、１２Ａ…下部ケースの上縁部、１４…背面カバー、２０…記録機構部、２７…リア給紙機構、３０…記録ヘッド、１００…外装ケース、１００Ａ、１００Ｂ…左右側面、１１０Ａ、１１０Ｂ…取手、１２０…滑り止め防止材、Ｇ…重心位置。
【図１】
2006231682.tif 000003
【図２】
2006231682.tif 000004
【図３】
2006231682.tif 000005
【図４】
2006231682.tif 000006
【図５】
2006231682.tif 000007
【図６】
2006231682.tif 000008